【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
第１のアナログデジタル変換ユニットと、第２のアナログデジタル変換ユニットと、前記第１のアナログデジタル変換ユニットの出力をキャリブレーションするデジタルキャリブレーション部と、識別情報で制御される切り替え制御部とを備えて成り、
前記第１のアナログデジタル変換ユニットは低精度で高いサンプルレートに対応し、前記第２のアナログデジタル変換ユニットは高精度で低いサンプルレートに対応しており、
前記識別情報が高いデータレートの信号を受信する状態を示すときは、前記切り替え制御部により、前記第１のアナログデジタル変換ユニットと前記第２のアナログデジタル変換ユニットと前記のデジタルキャリブレーション部とを動作させてアナログデジタル変換を行い、
前記識別情報が低データレートの信号を受信状態を示すときは、前記切り替え制御部により、前記第１のアナログデジタル変換ユニット及び前記デジタルキャリブレーション部の動作を停止させ、前記第２のアナログデジタル変換ユニットによりアナログデジタル変換を行うように構成されている
ことを特徴とするデジタルキャリブレーション型アナログデジタル変換器。
【請求項２】
請求項１において、
前記識別情報は、受信する信号の種別やデータレートの情報に基づいて生成されたものである
ことを特徴とするデジタルキャリブレーション型アナログデジタル変換器。
【請求項３】
請求項１において、
前記切り替え制御部は、受信信号が無いと判明した場合は、前記第１のアナログデジタル変換器と前記第２のアナログデジタル変換器と前記デジタルキャリブレーション部の少なくとも１つの電源を遮断する
ことを特徴とするデジタルキャリブレーション型アナログデジタル変換器。
【請求項４】
請求項１において、
前記切り替え制御部はスイッチ制御部と電源制御部とを備えて成り、
前記スイッチ制御部は、前記識別情報に応じて、前記デジタルキャリブレーション型アナログデジタル変換器の結線状態を制御するＥＮ信号及びＥＮｂ信号（ＥＮ信号の論理反転信号）を生成する機能を有しており、
前記電源制御部は、前記第１のアナログデジタル変換ユニット、前記デジタルキャリブレーション部及び前記第２のアナログデジタル変換ユニットの各電源電圧をオン／オフ制御するためのゲート信号を生成する機能を有している
ことを特徴とするデジタルキャリブレーション型アナログデジタル変換器。
【請求項５】
請求項１において、
前記アナログデジタル変換器は、一つまたは２つ以上のサンプル＆ホールド回路を備えて成り、
前記切り替え制御部により、前記識別情報により与えられる受信信号の状態に基づき、前記サンプル＆ホールド回路を制御し、受信信号が存在しないときは前記サンプル＆ホールド回路を停止させる
ことを特徴とするデジタルキャリブレーション型アナログデジタル変換器。
【請求項６】
少なくとも１つのデジタルキャリブレーション型アナログデジタル変換器を備えて成り、
前記各デジタルキャリブレーション型アナログデジタル変換器は、第１のアナログデジタル変換ユニットと、第２のアナログデジタル変換ユニットと、前記第１のアナログデジタル変換ユニットの出力をキャリブレーションするデジタルキャリブレーション部と、識別情報で制御される切り替え制御部とを有して成り、
前記第１のアナログデジタル変換ユニットは低精度で高いサンプルレートに対応し、前記第２のアナログデジタル変換ユニットは高精度で低いサンプルレートに対応しており、
前記識別情報が高いデータレートの信号を受信する状態を示すときは、前記切り替え制御部により、前記第１のアナログデジタル変換ユニットと前記第２のアナログデジタル変換ユニットと前記のデジタルキャリブレーション部とを動作させてアナログデジタル変換を行い、
前記識別情報が低データレートの信号を受信状態を示すときは、前記切り替え制御部により、前記第１のアナログデジタル変換ユニット及び前記デジタルキャリブレーション部の動作を停止させ、前記第２のアナログデジタル変換ユニットによりアナログデジタル変換を行うように構成されている
ことを特徴とする無線受信回路。
【請求項７】
請求項６において、
前記識別情報は、受信する信号の種別やデータレート及びデータ長さに対応している
ことを特徴とする無線受信回路。
【請求項８】
請求項６において、
１つのベースバンド信号処理部を備えて成り、
前記切り替え制御部は、前記ベースバンド信号処理部から前記識別情報を得る
ことを特徴とする無線受信回路。
【請求項９】
請求項８において、
前記ベースバンド信号処理部に保持されたスケジューリング機能を利用して前記識別情報を生成する
ことを特徴とする無線受信回路。
【請求項１０】
請求項６において、
前記各アナログデジタル変換器の出力信号の復調を行なう１つの復調部を備えて成り、
前記切り替え制御部は、該復調部の出力から前記識別情報を得る
ことを特徴とする無線受信回路。
【請求項１１】
請求項１０において、
前記切り替え制御部は、受信パケット上に存在するデータレートに関する情報の復調結果により前記識別情報を生成する
ことを特徴とする無線受信回路。
【請求項１２】
請求項６において、
複数のアナログフロントエンド部を備えて成り、
前記識別情報にもとづいて、前記複数のアナログフロントエンド部の中から一つのアナログフロントエンド部を選択して受信を行う
ことを特徴とする無線受信回路。
【請求項１３】
請求項６において、
前記各アナログデジタル変換器は、少なくとも１つのサンプル＆ホールド回路を備えて成り、
前記識別情報が高いデータレートの信号を受信する状態を示すとき及び前記識別情報が低データレートの信号を受信する状態を示すときのいずれの状態でも、前記各サンプル＆ホールド回路を動作させ、
受信信号が存在しないときは前記各サンプル＆ホールド回路を停止させる
ことを特徴とする無線受信回路。
【請求項１４】
請求項６において、
前記各アナログデジタル変換器は、少なくとも１つのサンプル＆ホールド回路を備えて成り、
前記識別情報が高いデータレートの信号を受信する状態を示すときのみ前記各サンプル＆ホールド回路を動作させ、
前記識別情報が低いデータレートの信号を受信する状態を示すときと受信信号が存在しないときは前記各サンプル＆ホールド回路を停止させる
ことを特徴とする無線受信回路。
【請求項１５】
請求項６において、
前記切り替え制御部は、受信信号の種別やデータレートを判別するための信号検出部を、前記デジタルキャリブレーション型アナログデジタル変換器より前段に備え、
前記信号検出部より識別情報を生成する
ことを特徴とする無線受信回路。
【請求項１６】
請求項６において、
複数の無線システムの信号を受信し、前記識別情報に基づいて制御される前記デジタルキャリブレーション型アナログデジタル変換器により前記いずれかの無線システムの受信信号をＡＤ変換し、復調する機能を備えて成る
ことを特徴とする無線受信回路。
【請求項１７】
請求項６において、
単一の無線システムの複数のデータレートの信号を受信し、前記識別情報に基づいて制御される前記デジタルキャリブレーション型アナログデジタル変換器により前記いずれかのデータレートの受信信号をＡＤ変換し、復調する機能を備えて成る
ことを特徴とする無線受信回路。
【請求項１８】
受信回路と、送信回路部と、ベースバンド信号処理部とを備えて成り、
前記受信回路が、少なくとも１つのデジタルキャリブレーション型アナログデジタル変換器を備えて成り、
前記各アナログデジタル変換器は、第１のアナログデジタル変換ユニットと、第２のアナログデジタル変換ユニットと、前記第１のアナログデジタル変換ユニットの出力をキャリブレーションするデジタルキャリブレーション部と、識別情報で制御される切り替え制御部とを有して成り、
前記第１のアナログデジタル変換ユニットは低精度で高いサンプルレートに対応し、前記第２のアナログデジタル変換ユニットは高精度で低いサンプルレートに対応しており、
前記識別情報は、受信する信号の種別やデータレート及びデータ長さに対応しており、
前記識別情報が高いデータレートの信号を受信する状態を示すときは、前記切り替え制御部により、前記第１のアナログデジタル変換ユニットと前記第２のアナログデジタル変換ユニットと前記のデジタルキャリブレーション部とを動作させてアナログデジタル変換を行い、
前記識別情報が低データレートの信号を受信状態を示すときは、前記切り替え制御部により、前記第１のアナログデジタル変換ユニット及び前記デジタルキャリブレーション部の動作を停止させ、前記第２のアナログデジタル変換ユニットによりアナログデジタル変換を行うように構成されている
ことを特徴とする無線送受信回路。
【請求項１９】
請求項１８において、
前記受信回路と、前記送信回路部とが一つのチップ上に集積化されて成る
ことを特徴とする無線送受信回路。
【請求項２０】
請求項１９において、
前記ベースバンド信号処理部が前記一つのチップ上に集積化されて成る
ことを特徴とする無線送受信回路。
【請求項２１】
第１のアナログデジタル変換ユニットと、第２のアナログデジタル変換ユニットと、前記第１のアナログデジタル変換ユニットの出力をキャリブレーションするデジタルキャリブレーション部と、入力信号に含まれる受信信号の識別情報に基づいて動作する制御部とを備えたアナログデジタル変換器であって、
前記第２のアナログデジタル変換ユニットは、前記第１のアナログデジタル変換ユニットよりも高精度で低いサンプルレートのアナログデジタル変換処理を実施し、
前記制御部は、
前記受信信号の識別情報が、前記アナログデジタル変換器への前記入力信号が第１の信号であることを示しているとき、該第１の信号のアナログデジタル変換が、前記第１のアナログデジタル変換ユニット、前記第２のアナログデジタル変換ユニット、前記デジタルキャリブレーション部で実施され、該第１の信号のアナログデジタル変換の結果が前記デジタルキャリブレーション部の出力から得られるように制御し、
前記受信信号の識別情報が、前記アナログデジタル変換器への前記入力信号が前記第１の信号よりも狭帯域の第２の信号であることを示しているとき、該第２の信号のアナログデジタル変換が前記第２のアナログデジタル変換ユニットで実施され、該第２の信号のアナログデジタル変換の結果が前記第２のアナログデジタル変換ユニットの出力から得られるように制御する
ことを特徴とするアナログデジタル変換器。
【請求項２２】
請求項２１において、
前記第１のアナログデジタル変換ユニットがパイプライン型アナログデジタル変換器である
ことを特徴とするアナログデジタル変換器。
【請求項２３】
請求項２２において、
前記第２のアナログデジタル変換ユニットがシグマデルタ型アナログデジタル変換器である
ことを特徴とするアナログデジタル変換器。
【請求項２４】
無線送受信機回路とアナログデジタル変換器とを備えた無線送受信機であって、
前記アナログデジタル変換器は、
第１のアナログデジタル変換ユニットと、第２のアナログデジタル変換ユニットと、前記第１のアナログデジタル変換ユニットの出力をキャリブレーションするデジタルキャリブレーション部と、入力信号に含まれる受信信号の識別情報に基づいて動作する制御部とを備えており、
前記第２のアナログデジタル変換ユニットは、前記第１のアナログデジタル変換ユニットよりも高精度で低いサンプルレートのアナログデジタル変換処理を実施し、
前記制御部は、
前記受信信号の識別情報が、前記アナログデジタル変換器への前記入力信号が第１の信号であることを示しているとき、該第１の信号のアナログデジタル変換が、前記第１のアナログデジタル変換ユニット、前記第２のアナログデジタル変換ユニット、前記デジタルキャリブレーション部で実施され、該第１の信号のアナログデジタル変換の結果が前記デジタルキャリブレーション部の出力から得られるように制御し、
前記受信信号の識別情報が、前記アナログデジタル変換器への前記入力信号が前記第１の信号よりも低データレートの第２の信号であることを示しているとき、該第２の信号のアナログデジタル変換が前記第２のアナログデジタル変換ユニットで実施され、該第２の信号のアナログデジタル変換の結果が前記第２のアナログデジタル変換ユニットの出力から得られるように制御する
ことを特徴とする無線送受信機。
【請求項２５】
複数の無線送受信機回路に個別に対応するフロントエンドと、アナログデジタル変換器とを備えた無線送受信機であって、
前記アナログデジタル変換器は、
第１のアナログデジタル変換ユニットと、第２のアナログデジタル変換ユニットと、前記第１のアナログデジタル変換ユニットの出力をキャリブレーションするデジタルキャリブレーション部と、入力信号に含まれる受信信号の識別情報に基づいて動作する制御部とを備えており、
前記第２のアナログデジタル変換ユニットは、前記第１のアナログデジタル変換ユニットよりも高精度で低いサンプルレートのアナログデジタル変換処理を実施し、
前記制御部は、
前記受信信号の識別情報が、前記アナログデジタル変換器への前記入力信号が第１の信号であることを示しているとき、該第１の信号のアナログデジタル変換が、前記第１のアナログデジタル変換ユニット、前記第２のアナログデジタル変換ユニット、前記デジタルキャリブレーション部で実施され、該第１の信号のアナログデジタル変換の結果が前記デジタルキャリブレーション部の出力から得られるように制御し、
前記受信信号の識別情報が、前記アナログデジタル変換器への前記入力信号が前記第１の信号よりも狭帯域の第２の信号であることを示しているとき、該第２の信号のアナログデジタル変換が前記第２のアナログデジタル変換ユニットで実施され、該第２の信号のアナログデジタル変換の結果が前記第２のアナログデジタル変換ユニットの出力から得られるように制御する
ことを特徴とする無線送受信機。
【手続補正２】
【補正対象書類名】明細書
【補正対象項目名】００６３
【補正方法】変更
【補正の内容】
【００６３】
復調部７９の識別情報生成機能７９０は、アナログデジタル変換結果を復調して、ヘッダ部に書き込まれた、データ部のデータレート及びデータ長の情報を得る。得られたデータレート及びデータ長に基づいて、復調部７９は識別情報を生成する。例えば、データ部のデータレートが、無線ＬＡＮの標準規格であるIEEE 802.11nやpost 11nに対応する高いレートであると判明した場合は、識別情報（Ｄ）により、デジタルキャリブレーション型アナログデジタル変換器７８を、通常のデジタルキャリブレーション型アナログデジタル変換器として動作させて、データ部の信号を高サンプルレートかつ高分解能でアナログデジタル変換するために、図１１のように、参照アナログデジタル変換ユニットに加えて、メインアナログデジタル変換ユニットのパワーもオンして、動作させるように識別情報を用いて制御する。識別情報（Ｄ）のオン期間は取得したデータ長さに基づいて決定する。なお、無線システムの起動時は復調データが無いので、参照アナログデジタル変換ユニットは動作させ続け、復調データから以降受信するパケットの受信タイミング情報を得た後はそれに基づく識別情報で制御する。
【手続補正３】
【補正対象書類名】明細書
【補正対象項目名】００７６
【補正方法】変更
【補正の内容】
【００７６】
低データレート時は、参照アナログデジタル変換ユニット４８２とともにサンプル＆ホールド回路４８１も動作するので、サンプル＆ホールド回路４８１の電源電圧も、例えば、ＶＤＤｃｔｒｌ＿Ｒｅｆで制御される。また、ＥＮ信号により、高データレート時は、サンプル＆ホールド回路４８１は、メインアナログデジタル変換ユニット４８３と等しい高サンプルレートで動作し、一方、低データレート時は、参照アナログデジタル変換ユニット４８２と等しい低サンプルレートで動作する。